(57)【要約】      （修正有）【課題】全面革製のカメラの落下防止機能を設けたカメラストラップを提供する。【解決手段】革製のストラップは３層以上の構造で表表面の革６３と裏表面の革６５に複数の繊維８３が挟まれていてこれらがテープ８５で固定されており、この４層が縫製またはリベットにより固定されている構造、又は表表面の革６３と裏表面の革６５に複数の繊維が含まれるテープが挟み込まれていてこの３層が縫製又はリベットにより固定されている構造を有する。複数の繊維とテープを内側の補強材として使用することでストラップは３層以上の構造でありながら十分な薄さを実現し、外観から補強素材が見えず、完全な革製のストラップの外観を保つ事ができる。また革の一部が破損した場合にも破損を免れた繊維が優れた落下防止機能を有する。【選択図】図３
0003181738.tif 000002
【実用新案登録請求の範囲】
【請求項１】
カメラの一端に着脱可能に取り付けられる帯状のストラップであり、少なくとも一部が革製であり３層以上の構造からなり、表表面の革６３と裏表面の革６５、その間に複数の繊維８３が挟まれておりテープ８５で固定されている、又は複数の繊維が含まれるテープ８７が挟まれている構造を有し、これらが縫製又はリベットにより固定されている構造を有するストラップ
【請求項２】
前記第１のストラップの一端部に設けられ、カメラの一端に着脱可能に取り付けられる帯状の革製の第２のストラップと、前記第１のストラップの他端部に設けられ前記カメラの他端部に着脱可能に取り付けられる帯状の革製の第３のストラップを有しており少なくとも第２のストラップおよび第３のストラップは３層以上の構造からなり、表表面の革６３と裏表面の革６５、その間に複数の繊維８３が挟まれておりテープ８５で固定されている、又は複数の繊維が含まれるテープ８７が挟まれている構造を有し、これらが縫製又はリベットにより固定されている構造を有する請求項１に記載のストラップ。
【考案の詳細な説明】
【技術分野】
【０００１】  この考案はカメラストラップに関するものである。
【背景技術】
【０００２】  カメラを首や肩等にかけるために、カメラに着脱可能に装着される、革製の第２のストラップと第３のストラップを有するカメラ用ストラップがある。
従来の革製の第２のストラップと第３のストラップを有するカメラストラップはその表から見ても、裏から見ても、側面から見ても革製という見た目にニーズが多いが落下防止機能を備えていない。
【考案の概要】
【考案が解決しようとする課題】
【０００３】  しかしながら、以上の技術によれば、市場で多く販売されているカメラストラップは装着部が厚さ２ｍｍ以下で幅が１０ｍｍ以下のストラップしか装着できないため、第２のストラップと第３のストラップは厚さが２ｍｍ以下で幅が１０ｍｍ以下で作られており、薄く幅が狭いため元々耐久性が低い部分であり、これが革の老朽化や一部破損等により耐久性が落ち、革の一部に破損が起こった場合、カメラの重さにより切れてしまいカメラが落下してしまうことがあった。
これを解決するために先行技術として第２のストラップ及び第３のストラップが２層構造を持ち表側が革製で裏側をナイロンの生地等をあてて縫い合わせる技術があった。しかしこの場合裏表面は革製のストラップではなくナイロンのストラップになってしまい表、裏、側面の表面ともに革製のストラップではなくなってしまうことで革のストラップとしてのデザイン性を損ねてしまっていた。【０００４】  本考案はかかる事情に鑑みてなされたものであり、その目的は、革製の第２のストラップ２３と第３のストラップ２５を有するカメラ用ストラップ図１又は第２のストラップを有するカメラ用ストラップ図２の表、裏、側面の表面がともに見た目と素材ともに革製でありながらカメラの落下防止機能を設けたストラップを提供することである。
【課題を解決するための手段】
【０００５】  上述した従来技術の問題点を解決し、上述した目的を達成するために、本考案のカメラ用ストラップの有する第２のストラップと第３のストラップは３層以上の構造になっており、表表面の革６３と裏表面の革６５の間に補強材として複数の繊維８３、例えばガラス繊維等を挟み込み、テープ８５で固定したものを表表面から、裏表面までの４層を縫製又はリベットで固定する構造［図３］又は、繊維を含むテープ８７を補強材とした場合は３層を縫製又はリベットで固定する構造［図４］を設けている。【０００６】  複数の繊維を内側に固定する構造を設けているため通常使用時に第２のストラップと第３のストラップの革にかかるカメラの重さは軽減され、また革の破損時には一部の繊維が革と共に破損しても、破損を逃れた繊維が落下防止のための耐久性を有する。
【考案の効果】
【０００７】  革製の第２のストラップと第３のストラップ部を有するカメラ用ストラップで表、裏、側面の表面ともに見た目、素材が革製であり、落下防止機能を設けたカメラストラップを提供することができる。
【図面の簡単な説明】
【０００８】
【図１】図１は本考案の実施形態に係わる帯状の革製の第２のストラップと第３のストラップを有する両端が着脱可能なカメラの落下防止機能のついたカメラストラップの全体外観図である。
【図２】図２は本考案の実施形態に係わる帯状の革製の第２のストラップを有する一端が着脱可能なカメラの落下防止機能のついたカメラストラップの全体外観図である。
【図３】図１及び図２に示すカメラの落下防止機能のついたカメラストラップが４層の時の断面斜視図である。
【図４】図１及び図２に示すカメラの落下防止機能のついたカメラストラップが３層の時の断面斜視図である。
【図５】図１で示した本考案のカメラストラップのカメラ装着図である。
【図６】図２で示した本考案のカメラストラップのカメラ装着図である。
【図７】図１で示した本考案のカメラストラップがストラップ間の接合部１０３および１０５を有する場合のカメラ装着図である。
【図８】図２で示した本考案のカメラストラップがストラップ間の接合部１０１を有する場合のカメラ装着図である。
【図９】図１で図示したストラップ全体に同一の繊維が挟まれている場合の透視図である。
【考案を実施するための形態】
【０００９】以下、本考案の実施形態に係わるカメラの落下防止機能付きカメラ用ストラップについて説明する。
図１及び図２は、本考案の実施形態に係わるカメラの落下防止機能付きカメラ用ストラップの全体外観図である。図３及び図４は、図１及び図２に示すカメラ用ストラップの第２のストラップ２３と第３のストラップ２５の断面斜視図であり、図３は４層以上の構造の時、図４は３層構造の時の断面斜視図である。
図５に示すように、カメラの落下防止機能付きカメラストラップ１は、例えば、第１のストラップ２１が有する第２のストラップ２３および第３のストラップ２５がそれぞれカメラのストラップ装着部９３及び９５に接着することができる。
また図６に示すように、カメラの落下防止機能付きカメラストラップ３は、例えば、第２のストラップ２３を有する第１のストラップ２１があり、第２のストラップがカメラ接着部９３に接着することができる。
【００１０】  ストラップの構造が４層以上の時は、図３及に示すとおり第一のストラップ２１に比べて幅が狭い第２のストラップ２３および第３のストラップは革製であり表表面の革６３と裏表面の革６５、その間に複数の繊維８３が挟みこまれテープ８５で固定された４層構造を有しておりこの４層は縫製又はリベットにより固定されている。
またストラップの構造が３層の時は、図４に示すとおり第一のストラップ２１に比べて幅が狭い第２のストラップ２３および第３のストラップは革製であり表表面の革６３と裏表面の革６５、その間に繊維を含むテープ８７が挟みこまれた３層構造を有しておりこの３層は縫製又はリベットにより固定されている。
【００１１】  第２のストラップ２３および第３のストラップ２５は長さ調整部４３、４５によって、先端に形成されるリングの大きさに応じて長さを調整できるようになっている。
【００１２】  複数の繊維８３および固定に使用するテープ８５、又は複数の繊維を含むテープ８７の繊維の数および形状および材料および繊維やテープが固定される向きは限定されず、さらに革とテープを縫製する向き、縫製に使用される糸の素材等は限定されない。
表表面の革６３と裏表面の革６５と複数繊維８３と複数の繊維を固定するためのテープ８５又は繊維を含むテープ８７を固定する方法は縫製又はリベットのみに限定されない。長さ調整部４３、４５は形状および材料に限定されない。
また、第１のストラップ２１、第２のストラップ２３、および第３のストラップ２５の幅や厚み、長さ、層の数は任意である。
【実施例】
【００１３】  図７及び図８のようにストラップ間の接合部１０１、１０３、１０５がある場合もある。
また上述した実施形態は、第２のストラップ２３及び第３のストラップ２５の各ストラップにそれぞれ個別に繊維を挟み込んだ場合を例示したが例えば、図９のように一本以上の繊維８９を第２のストラップ２３、第１のストラップ２１、第３のストラップ２５で挟み込み全体で同じ一本以上の繊維が内部を通る構造にしてもよい。前記の例では、図２のカメラの一端に着脱可能に取り付けられるカメラの落下防止機能付きカメラストラップ本体３の場合は第１のストラップ２１と第２のストラップ２３に同一の繊維が挟み込まれる。【００１４】  本考案は上述した実施形態には限定されない。
すなわち、当事者は、本考案の技術的範囲またはその均等の範囲内において、上述した実施形態の構成要素に関し、様々な変更、コンビネーション、サブコンビネーション、並びに代替を行ってもよい。【００１５】  この実施形態によれば、革の層の中に固定された複数の繊維８３が表表面の革６３又は裏表面の革６５又はその両方に破損があった場合に繊維８３のいくつかが同時に破損していたとしても破損を逃れた繊維がカメラの落下機能として優れた効力を発揮する。
また外観においては表、裏、側面ともに革製のストラップである。
【産業上の利用可能性】
【００１７】    本考案は、カメラに取り付けられるカメラ用ストラップに適用可能である。
【符号の説明】１・・・ストラップ接着部を２つ以上有するカメラの両端に着脱可能に取り付けられるカメラの落下防止機能付きカメラストラップ本体
３・・・ストラップ接着部を１つ以上有するカメラの一端に着脱可能に取り付けられるカメラの落下防止機能付きカメラストラップ本体
２１・・・第１のストラップ
２３・・・第２のストラップ
２５・・・第３のストラップ
４３・・・長さ調整部
４５・・・長さ調整部
６３・・・表表面の革
６５・・・裏表面の革
８３・・・複数の繊維
８５・・・固定するテープ
８７・・・繊維を含むテープ
８９・・・１本以上の繊維
９１・・・カメラストラップ本体
９３・・・ストラップ装着部
９５・・・ストラップ装着部
１０１・・・ストラップ接合部
１０３・・・ストラップ接合部
１０５・・・ストラップ接合部
【図１】
0003181738.tif 000003
【図２】
0003181738.tif 000004
【図３】
0003181738.tif 000005
【図４】
0003181738.tif 000006
【図５】
0003181738.tif 000007
【図６】
0003181738.tif 000008
【図７】
0003181738.tif 000009
【図８】
0003181738.tif 000010
【図９】
0003181738.tif 000011